(57)【要約】【課題】対象物を効果的に保持しつつ、作業性を確実に向上させる。【解決手段】吊り上げ対象物１００の一部を受持する受持部１３を含むフック本体１１と、上端側を受持部１１よりも上方のフック本体１１に回転可能に枢支された規制部材２０と、規制部材２０をフック本体１１から離反させる方向に付勢する付勢機構３０とを備え、付勢機構３０の付勢力によって規制部材２０がその上端側を支点にフック本体１１から離反する方向に回転すると、吊り上げ対象物１００の一部が受持部１３と規制部材２０とに挟み込まれて保持されるロック状態となる。【選択図】図２
2019073345.tif 000002
【特許請求の範囲】
【請求項１】
揚重装置に連結されると共に、吊り上げ対象物の一部を受持する受持部を含むフック本体と、
上端側を前記受持部よりも上方の前記フック本体に回転可能に枢支された規制部材と、
前記規制部材を前記フック本体から離反させる方向に付勢する付勢機構と、を備え、
前記付勢機構の付勢力によって前記規制部材がその上端側を支点に前記フック本体から離反する方向に回転すると、前記吊り上げ対象物の一部が前記受持部と前記規制部材の下端部とに挟み込まれて保持されるロック状態となり、前記規制部材を前記付勢機構の付勢力に抗して押し戻すと、前記ロック状態が解除される
ことを特徴とする吊り上げ装置。
【請求項２】
前記フック本体の前記受持部よりも上方の所定部位に前記規制部材を受容可能な凹溝が設けられ、前記規制部材の上端側が前記凹溝内の上端側にヒンジ連結されている
請求項１に記載の吊り上げ装置。
【請求項３】
前記受持部が上方に開口する断面Ｕ字状に形成されると共に、前記吊り上げ対象物の端部から下方に延びるフランジ部を受持する
請求項１又は２に記載の吊り上げ装置。
【請求項４】
前記付勢機構が、その一端を前記規制部材の下端側に当接させた圧縮バネと、前記フック本体に固定されて前記圧縮バネの他端を支持する固定部と、一端側を前記規制部材の下端側に連結されると共に、他端側を前記固定部に挿通させたロッド部材と、該ロッド部材の前記固定部から突出する部位に螺合するナット部材とを含む
請求項１から３の何れか一項に記載の吊り上げ装置。
【発明の詳細な説明】
【技術分野】
【０００１】
本開示の技術は、吊り上げ装置に関する。
【背景技術】
【０００２】
この種の吊り上げ装置として、例えば、特許文献１には、吊り上げ対象物（以下、単に対象物ともいう）の端部を受持するフックと、該フックの上端に回転自在に枢支された棒状の押さえ部材と、該押さえ部材の上端に連結されてクレーン等により引き上げられるワイヤーロープとを備える構造が開示されている。
【０００３】
当該文献の構造では、対象物の端部をフックに受持させた状態でワイヤーロープを引き上げると、これに伴い押さえ部材がフックの上端を支点に回転することで、対象物の端部をフックと押さえ部材とにより挟み込んで保持するように構成されている。
【先行技術文献】
【特許文献】
【０００４】
【特許文献１】特開平９−１９４１８１号公報
【発明の概要】
【発明が解決しようとする課題】
【０００５】
ところで、上記文献の構造では、ワイヤーロープの引き上げにより押さえ部材を回転させなければ、対象物をフックと押さえ部材とにより保持させることができない。このため、対象物を複数のフック及び押さえ部材に確実に保持させるには、ワイヤーロープの引き上げと並行しながら、作業者がこれら複数のフック及び押さえ部材を支えておく必要がある。特に、対象物のサイズが大きい場合には、一人の作業者では対応することができず、作業者数の増加を招くと共に、作業が煩雑になるといった課題がある。また、対象物が吊り上げられた状態で、何らかの拍子にワイヤーロープに撓みが生じると、押さえ部材がフックから離反する方向に回転することで、対象物の落下を招いてしまう可能性もある。
【０００６】
本開示の技術は、吊り上げ装置に関し、対象物を効果的に保持しつつ、作業性を確実に向上させることを目的とする。
【課題を解決するための手段】
【０００７】
本開示の技術は、揚重装置に連結されると共に、吊り上げ対象物の一部を受持する受持部を含むフック本体と、上端側を前記受持部よりも上方の前記フック本体に回転可能に枢支された規制部材と、前記規制部材を前記フック本体から離反させる方向に付勢する付勢機構と、を備え、前記付勢機構の付勢力によって前記規制部材がその上端側を支点に前記フック本体から離反する方向に回転すると、前記吊り上げ対象物の一部が前記受持部と前記規制部材の下端部とに挟み込まれて保持されるロック状態となり、前記規制部材を前記付勢機構の付勢力に抗して押し戻すと、前記ロック状態が解除されることを特徴とする。
【０００８】
また、前記フック本体の前記受持部よりも上方の所定部位に前記規制部材を受容可能な凹溝が設けられ、前記規制部材の上端側が前記凹溝内の上端側にヒンジ連結されていることが好ましい。
【０００９】
また、前記受持部が上方に開口する断面Ｕ字状に形成されると共に、前記吊り上げ対象物の端部から下方に延びるフランジ部を受持することが好ましい。
【００１０】
また、前記付勢機構が、その一端を前記規制部材の下端側に当接させた圧縮バネと、前記フック本体に固定されて前記圧縮バネの他端を支持する固定部と、一端側を前記規制部材の下端側に連結されると共に、他端側を前記固定部に挿通させたロッド部材と、該ロッド部材の前記固定部から突出する部位に螺合するナット部材とを含むことが好ましい。
【発明の効果】
【００１１】
本開示の技術によれば、対象物を効果的に保持しつつ、作業性を確実に向上させることができる。
【図面の簡単な説明】
【００１２】
【図１】本実施形態に係る吊り上げ装置を示す模式的な斜視図である。
【図２】本実施形態に係る保持部を示す模式的な部分断面図である。
【図３】本実施形態に係る吊り上げ装置を用いた対象物の吊り上げ搬送作業を説明する模式図である。
【図４】本実施形態に係る吊り上げ装置を用いた対象物の吊り上げ搬送作業を説明する模式図である。
【図５】本実施形態に係る吊り上げ装置を用いた対象物の吊り上げ搬送作業を説明する模式図である。
【発明を実施するための形態】
【００１３】
以下、添付図面に基づいて、本実施形態に係る吊り上げ装置について説明する。同一の部品には同一の符号を付してあり、それらの名称および機能も同じである。したがって、それらについての詳細な説明は繰返さない。
【００１４】
図１は、本実施形態に係る吊り上げ装置１を示す模式的な斜視図である。同図に示すように、吊り上げ装置１は、複数（図示例では３個）の保持部１０と、その一端部を保持部１０に連結された複数（図示例では３本）のワイヤーロープ５０とを備えている。これら３本のワイヤーロープ５０の他端部は、不図示のクレーン等（揚重装置）のフック６０に掛止されている。
【００１５】
なお、保持部１０の個数及び、ワイヤーロープ５０の本数は図示例の３に限定されず、対象物１００の大きさや形状、重量等に応じて適宜に設定することができる。
【００１６】
本実施形態において、対象物１００は、例えば、車両等に搭載される排気浄化ユニットの一部を構成する各種部品のアッセンブリーであって、略円板状のプレート部材１１０と、プレート部材１１０に取り付けられた略円筒状のハウジング１２０，１３０とを備えている。各ハウジング１２０，１３０の内部には、不図示の触媒担体等が収容されている。プレート部材１１０の周縁には、プレート部材１１０の端部をハウジング１２０，１３０とは反対側に略直角に折り曲げて形成したフランジ部１１１が設けられている。なお、対象物１００は図示例の排気浄化装置のアッセンブリーに限定されず、吊り上げ装置１により吊り上げ可能な他の対象物であってもよい。
【００１７】
図２は、本実施形態に係る保持部１０を示す模式的な部分断面図である。保持部１０は、フック本体部１１と、規制部材２０と、付勢機構３０とを備えている。
【００１８】
フック本体部１１は、プレート部材１１０の幅方向外側に位置して上下方向に延びる縦壁部１２と、縦壁部１２の下端からプレート部材１１０側に折り曲げられてフランジ部１１１を下方から受持する略Ｕ字状の受持部１３とを有する。これら縦壁部１２及び受持部１３は、好ましくは、一体に形成されている。
【００１９】
縦壁部１２の上端部には、ワイヤーロープ５０を係止するためのリング状の係止部１４が一体形成されている。また、縦壁部１２のプレート部材１１０側に臨む側壁部であって、受持部１３の折り曲げ端１３Ａよりも上方に位置する部位には、規制部材２０を受容可能な凹溝１５が設けられている。凹溝１５は、その溝長さを規制部材２０の上下方向長さよりも長く、且つ、その溝深さを規制部材２０の幅方向長さよりも深く形成されている。さらに、縦壁部１２の下端側には、付勢機構３０の一部（後述するロッド部材３３及び、圧縮バネ３４）を挿通させる貫通穴１６が設けられている。
【００２０】
規制部材２０は、例えば、上下方向に延びる棒状部材であって、その上端部を凹溝１５内の上端側にピン軸２１を介してヒンジ連結されている。すなわち、規制部材２０は、ピン軸２１を支点に縦壁部１２に回転可能に枢支されている。
【００２１】
規制部材２０は、図２（Ｂ）に示すように、その長手方向が縦壁部１２と略並行になる鉛直状態のときは、凹溝１５内に完全に受容される。一方、規制部材２０は、図２（Ａ）に示すように、長手方向が縦壁部１２に対して傾けられる傾斜状態のときは、その下端部２２をプレート部材１１０の上面に当接させる。すなわち、規制部材２０を傾斜状態にすると、プレート部材１１０が、受持部１３の先端部１３Ａと規制部材２０の下端部２２とに挟み込まれて保持されるようになっている。規制部材２０の長さは、傾斜状態において、その下端部２２がプレート部材１１０の上面に確実に当接するように、プレート部材１１０の厚みに応じて適宜に設定すればよい。
【００２２】
付勢機構３０は、固定部３１と、ロッド部材３３と、圧縮バネ３４とを備えている。
【００２３】
固定部３１は、縦壁部１２側に開口する断面略Ｕ字状に形成されると共に、その開口端にはフランジ３１Ａが形成されている。フランジ３１Ａは、縦壁部１２のプレート部材１１０とは反対側の側壁部に不図示のボルト等（又は、溶接等）で固定されている。また、固定部３１には、ロッド部材３３を挿通させる支持穴３２が貫通形成されている。
【００２４】
ロッド部材３３は、その一端部を規制部材２０の下端側に連結されると共に、その他端側には不図示の雄ネジ部が形成されている。ロッド部材３３の支持穴３２から突出した部位の雄ネジ部には、係止ナット３５が螺合されている。係止ナット３５の締め付け量を調整することで、規制部材２０の可動範囲が適宜に設定できるようになっている。
【００２５】
圧縮バネ３４は、固定部３１の内壁と規制部材２０の下端側との間に介装されている。図２（Ａ）に示すように、圧縮バネ３４の付勢力によって規制部材２０が傾斜するときは、プレート部材１１０が受持部１３の先端部１３Ａと規制部材２０の下端部２２とに挟み込まれて保持されるロック状態となる。一方、図２（Ｂ）に示すように、規制部材２０を圧縮バネ３４の付勢力に抗して縦壁部１２側に押し戻す（又は、ロッド部材３３を引っ張る）と、規制部材２０が凹溝１５内に完全に受容されることで、プレート部材１１０を容易に取り外せるロック解除状態に切り替えられるようになっている。
【００２６】
次に、図３〜５に基づいて、本実施形態に係る吊り上げ装置１を用いた対象物１００の吊り上げ搬送作業及びその作用効果を説明する。
【００２７】
まず、図３に示すように、台２００に載置された対象物１００のプレート部材１１０に吊り上げ装置１の保持部１０を取り付ける。この際、作業者は、ワイヤーロープ５０を引き上げることなく、複数の保持部１０をフランジ部１１１の下方から順次差し込むだけで、これら複数の保持部１０を容易に取り付けることができる。
【００２８】
すなわち、圧縮バネ３４に付勢された規制部材２０が保持部１０の差し込みに伴いフランジ部１１１によって縦壁部１２の凹溝１５（図２参照）内に押し戻され、保持部１０をさらに差し込むと、規制部材２０の下端がプレート部材１１０の上面に当接することで、保持部１０を容易にロック状態にすることができる。係る取り付け作業は、従来技術のようにワイヤーロープ５０の引き上げと同時且つ並行に実施する必要がないため、一人の作業者によって対応することが可能であり、作業性や作業効率を確実に向上することができる。
【００２９】
図４に示すように、プレート部材１１０に全ての保持部１０を取り付けたならば、不図示の揚重装置等によりワイヤーロープ５０を引き上げて、対象物１００を所定の場所まで吊り上げ搬送する。この際、保持部１０は圧縮バネ３４の付勢力によってロック状態に確実に維持されるため、ワイヤーロープ５０が何らかの拍子で撓んでも、対象物１００を確実に保持することができる。すなわち、搬送中における対象物１００の落下を効果的に防止することが可能になる。
【００３０】
図５に示すように、対象物１００を所定の場所（台３００）に降ろしたならば、ワイヤーロープ５０を緩めた状態で、保持部１０をプレート部材１１０から取り外す。係る作業は、作業者が規制部材２０を押し戻す（又は、ロッド部材３３を引っ張る）だけで保持部１０をロック解除状態に切り替えられるため、作業性及び作業効率を効果的に向上することができる。
【００３１】
なお、本発明は、上述の実施形態に限定されるものではなく、本発明の趣旨を逸脱しない範囲で、適宜変形して実施することが可能である。
【００３２】
例えば、付勢機構３０の圧縮バネ３４は、規制部材２０を凹溝１５（縦壁部１２）から離反する方向に付勢できるものであれば、例えば、板バネ等であってもよい。また、規制部材２０は、その下端部２２をロック状態にてプレート部材１１０の上面に当接させるものとして説明したが、ロック状態にて、これら下端部２２とプレート部材１１０の上面との間に僅かな隙間が形成されるように構成してもよい。この場合も上記実施形態と同様の作用効果を奏することができる。
【符号の説明】
【００３３】
１  吊り上げ装置
１０  保持部
１１  フック本体部
１２  縦壁部
１３  受持部
１５  凹溝
２０  規制部材
３０  付勢機構
３１  固定部
３３  ロッド部材
３４  圧縮バネ
３５  係止ナット
【図１】
2019073345.tif 000003
【図２】
2019073345.tif 000004
【図３】
2019073345.tif 000005
【図４】
2019073345.tif 000006
【図５】
2019073345.tif 000007